(57)【要約】【課題】オゾン発生装置にオゾン送り用ファンを設けることなく、オゾン発生装置に庫内の内気を送ることができる。【解決手段】貯蔵庫１０は、箱状の貯蔵庫本体１２と、貯蔵庫本体１２内の内気を循環させる循環用ファン３４と、貯蔵庫本体１２に開口して設けられた第１の開口部２０と、貯蔵庫本体１２に開口して設けられた第２の開口部２６と、貯蔵庫本体１２の外部に設けられたオゾン発生装置５４と、を備え、オゾン発生装置５４は、第１の開口部２０と連通し、貯蔵庫本体１２から内気を取込む取込口５６と、取込口５６より取込まれた貯蔵庫本体１２の内気を利用してオゾンを発生させるオゾン発生部５８と、第２の開口部２６と連通し、オゾンを排出する排出口６０と、を有しており、第１の開口部２０は、循環用ファン３４の下流側に配されており、第２の開口部２６は、循環用ファン３４の上流側に配されている。【選択図】図２
2019095080.tif 000002
【特許請求の範囲】
【請求項１】
箱状の貯蔵庫本体と、
前記貯蔵庫本体内の内気を循環させる循環用ファンと、
前記貯蔵庫本体に開口して設けられた第１の開口部と、
前記貯蔵庫本体に開口して設けられた第２の開口部と、
前記貯蔵庫本体の外部に設けられたオゾン発生装置と、を備え、
前記オゾン発生装置は、前記第１の開口部と連通し、前記貯蔵庫本体から内気を取込む取込口と、前記取込口より取込まれた前記貯蔵庫本体の内気を利用してオゾンを発生させるオゾン発生部と、前記第２の開口部と連通し、前記オゾンを排出する排出口と、を有しており、
前記第１の開口部は、前記循環用ファンの下流側に配されており、
前記第２の開口部は、前記循環用ファンの上流側に配されている貯蔵庫。
【請求項２】
前記貯蔵庫本体に開口して設けられ、前記取込口と連通する第３の開口部と、
前記第１の開口部から前記取込口への前記貯蔵庫本体の内気の流入、又は、前記第３の開口部から前記取込口への前記貯蔵庫本体の内気の流入のいずれか一方に切替え可能な切替え弁と、を備え、
前記第３の開口部は、前記第１の開口部よりも、前記循環用ファンの下流側に配されている請求項１に記載の貯蔵庫。
【請求項３】
前記第１の開口部は、前記貯蔵庫本体の側壁に開口して設けられ、前記第１の開口部と前記取込口とは、第１の連通管を介して連通しており、
前記第２の開口部は、前記貯蔵庫本体の天井壁に開口して設けられ、前記第２の開口部と前記排出口とは、第２の連通管を介して連通しており、
前記貯蔵庫本体を平面視した場合において、前記第１の連通管の前記第１の開口部側の端部の平面視位置は、前記第２の連通管の前記第２の開口部側の端部の平面視位置から前記貯蔵庫本体の前壁側又は奥壁側にズレて配されている請求項１又は請求項２に記載の貯蔵庫。
【発明の詳細な説明】
【技術分野】
【０００１】
本発明は、貯蔵庫に関する。
【背景技術】
【０００２】
従来、貯蔵庫として、例えば、特許文献１に記載の配膳車に搭載されている収容室が知られている。この収容室は、温蔵室及び冷蔵室から構成されており、収容室の天井部には、オゾンを発生させるオゾン発生器が設けられている。オゾン発生器には、オゾンを収納室内へ強制的に送り込むためのオゾン送り用ファンが設けられており、また、収納室内には、内気を循環させる空気撹拌ファンが設けられている。
【先行技術文献】
【特許文献】
【０００３】
【特許文献１】特開平９−１３５７３１号公報
【発明の概要】
【発明が解決しようとする課題】
【０００４】
上記構成において、オゾン発生器で発生されたオゾンを収納室内に送り込むために、オゾン送り用ファンが必要となる。本発明は上記のような事情に基づいて完成されたものであって、オゾン送り用ファンを用いることなく、オゾンを庫内へ送り込むことができる貯蔵庫を提供することを目的とする。
【課題を解決するための手段】
【０００５】
上記課題を解決するために、本発明の貯蔵庫は、箱状の貯蔵庫本体と、前記貯蔵庫本体内の内気を循環させる循環用ファンと、前記貯蔵庫本体に開口して設けられた第１の開口部と、前記貯蔵庫本体に開口して設けられた第２の開口部と、前記貯蔵庫本体の外部に設けられたオゾン発生装置と、を備え、前記オゾン発生装置は、前記第１の開口部と連通し、前記貯蔵庫本体から内気を取込む取込口と、前記取込口より取込まれた前記貯蔵庫本体の内気を利用してオゾンを発生させるオゾン発生部と、前記第２の開口部と連通し、前記オゾンを排出する排出口と、を有しており、前記第１の開口部は、前記循環用ファンの下流側に配されており、前記第２の開口部は、前記循環用ファンの上流側に配されている。
【０００６】
循環用ファンの上流側に設けられた第１の開口部と、オゾン発生装置の排出口とを連通させ、また、循環用ファンの下流側に設けられた第２の開口部と、オゾン発生装置の取込口とを連通させることで、循環用ファンの作動により、オゾン発生装置に貯蔵庫本体の内気が取込ませることができ、また、オゾン発生装置により発生されたオゾンを、貯蔵庫本体内へ排出させることができる。
【０００７】
また、前記貯蔵庫本体に開口して設けられ、前記取込口と連通する第３の開口部と、前記第１の開口部から前記取込口への前記貯蔵庫本体の内気の流入、又は、前記第３の開口部から前記取込口への前記貯蔵庫本体の内気の流入のいずれか一方に切替え可能な切替え弁と、を備え、前記第３の開口部は、前記第１の開口部よりも、前記循環用ファンの下流側に配されているものとしても良い。
【０００８】
切替え弁により、第１の開口部からの内気の取込み、又は、第１の開口部よりもさらに循環用ファンの下流側に配された第３の開口部からの内気の取込みのいずれか一方に切替えることにより、オゾン発生装置への内気の取込み量の調整が可能となる。
【０００９】
また、前記第１の開口部は、前記貯蔵庫本体の側壁に開口して設けられ、前記第１の開口部と前記取込口とは、第１の連通管を介して連通しており、前記第２の開口部は、前記貯蔵庫本体の天井壁に開口して設けられ、前記第２の開口部と前記排出口とは、第２の連通管を介して連通しており、前記貯蔵庫本体を平面視した場合において、前記第１の連通管の前記第１の開口部側の端部の平面視位置は、前記第２の連通管の前記第２の開口部側の端部の平面視位置から前記貯蔵庫本体の前壁側又は奥壁側にズレて配されているものとしても良い。
【００１０】
第１の連通管の第１の開口部側の端部の平面視位置は、第２の連通管の第２の開口部側の端部の平面視位置から前壁側又は奥壁側にズレて配されているため、第２の開口部から排出したオゾンが、すぐに第１の開口部に戻ることを防止できる。
【発明の効果】
【００１１】
本発明によれば、温蔵庫内の内気を循環させる循環用ファンによって、オゾン発生装置に内気を送ることができる。
【図面の簡単な説明】
【００１２】
【図１】貯蔵庫の斜視図
【図２】切替え弁が第１の切替え位置にある場合における、オゾン発生装置への内気の流れを示した概略図
【図３】切替え弁が第２の切替え位置にある場合における、オゾン発生装置への内気の流れを示した概略図
【図４】平面視からのオゾン発生装置への内気の流れを示した概略図
【発明を実施するための形態】
【００１３】
＜実施形態１＞
本実施形態の貯蔵庫１０について、図１から図４を参照しつつ説明する。以降の説明では、図１及び図４のＸ方向を前方、図１から図３のＺ方向を上方、図１から図４のＹ方向を右方とする。
【００１４】
貯蔵庫１０は、食材を運搬する温冷配膳車に搭載される貯蔵庫であって、図１に示すように、箱状の貯蔵庫本体１２と、貯蔵庫本体１２の天井壁１８の上面に設けられた機械室４０と、を備えている。
【００１５】
貯蔵庫本体１２には、図１に示すように、２つの冷蔵庫１４、及び、２つの温蔵庫１６が設けられている。冷蔵庫１４は、左右に２つ並べて配されており、温蔵庫１６は、２つの冷蔵庫１４を挟んで両側にそれぞれ配されている。それぞれの冷蔵庫１４、及び、温蔵庫１６の前方には、開閉可能な扉（前壁）２８が設けられている。図２に示すように、冷蔵庫１４と温蔵庫１６との間には、熱移動を遮断する断熱壁１５が設けられている。
【００１６】
機械室４０内には、図１に示すように、冷蔵庫１４の内部を冷却する冷凍機器類４３と、貯蔵庫本体１２の外部に設けられ、温蔵庫１６の内部の臭気を除去するオゾン発生装置５４と、コントロールボックス５０と、を備えている。コントロールボックス５０の内部には、貯蔵庫１０の各種装置の制御を行う制御部が設けられている。冷凍機器類４３は、図１に示すように、冷媒を圧縮する圧縮機４４と、冷媒を凝縮する凝縮器４６と、冷媒を冷却する冷却器が収容された冷却器室４８とを備えている。制御部は、所謂、マイクロコントローラであって、貯蔵庫１０の各種装置に制御信号を送信し、各種装置を制御している。
【００１７】
オゾン発生装置５４は、図１に示すように、左側の温蔵庫１６側の天井壁１８の上面に配されており、図２に示すように、温蔵庫１６の内気を取込む取込口５６と、取込まれた内気を利用してオゾンを発生させるオゾン発生部５８と、発生されたオゾンを排出する排出口６０とから構成されている。また、図示されていないものの、オゾン発生装置５４は、右側の温蔵庫１６側の天井部１８の上面にも、同様に設けられている。
【００１８】
図２に示すように、温蔵庫１６内には、庫内の内気を加熱する板状のヒータパネル３６、及び、加熱された内気を庫内に循環させる循環用ファン３４が設けられている。循環用ファン３４は、貯蔵庫本体１２内の左側の側壁２２付近の上部に配されており、ヒータパネル３６は、側壁２２から、所定の間隔を空けて配されている。循環用ファン３４及びヒータパネル３６は、コントロールボックス５０内の制御部と電気的に接続されており、制御部からの制御信号に基づき、それぞれ作動するようになっている。
【００１９】
図２に示すように、天井壁１８には、第２の開口部２６が開口して設けられている。また、第２の開口部２６には、外気を取り入れる通気パネル１９が設けられている。通気パネル１９は、図２、図４に示すように、第２の開口部２６を覆うように配されている。
【００２０】
オゾン発生装置５４の排出口６０には、チューブ状の第２の連通管６６の一端が接続されており、第２の連通管６６の他端は、第２の開口部２６内に配されている。これにより、第２の開口部２６は、オゾン発生装置５４の排出口６０と、第２の連通管６６を介して連通している。
【００２１】
図２に示すように、側壁２２には、第１の開口部２０、及び、第３の開口部２８が開口して設けられている。第１の開口部２０は、第１の連通管６４を介して、貯蔵庫本体１２の外部に設けられた切替え弁６２に接続されており、第３の開口部２８は、第３の連通管６８を介して、切替え弁６２に接続されている。さらに、切替え弁６２は、第４の連通管７０を介して、オゾン発生装置５４の取込口５６に接続されている。
【００２２】
切替え弁６２は、コントロールボックス５０内の制御部と電気的に接続されており、制御部からの制御信号に基づき、図２に示す第１の切替え位置と、図３に示す第２の切替え位置との間を、相互に切替え可能となっている。
【００２３】
第１の切替え位置では、図２に示すように、第１の開口部２０と、オゾン発生装置５４の取込口５６とは連通しており、第３の開口部２８と、オゾン発生装置５４の取込口５６との間は、切替え弁６２によって塞がれている。一方、第２の切替え位置では、図３に示すように、第３の開口部２８と、オゾン発生装置５４の取込口５６とは連通しており、第１の開口部２０と、オゾン発生装置５４の取込口５６との間は、切替え弁６２によって塞がれている。
【００２４】
図２に示すように、第２の開口部２６は、循環用ファン３４の上流側（循環用ファン３４の右側）に配されており、第１の開口部２０は、循環用ファン３４の下流側（循環用ファン３４の下側）に配されている。また、第３の開口部２８は、第１の開口部２０よりも、循環用ファン３４のさらに下流側に配されている。
【００２５】
図４に示すように、第１の連通管６４の第１の開口部２０側の端部６５の位置は、平面視上、第２の連通管６６の第２の開口部２６側の端部６７の位置よりも、貯蔵庫本体１２の奥壁３側にズレて配されており、第１の連通管６４の端部６５と、第２の連通管６６の端部６７との間は、前後方向に距離Ｌだけ離れている。同様に、第３の連通管６８の端部と、第２の連通管６６の端部６７との間も、前後方向に距離Ｌだけ離れている。
【００２６】
切替え弁６２の位置が第１の切替え位置にある場合についての、循環用ファン３４の送風経路について説明する。図２に示すように、循環用ファン３４が作動すると、貯蔵庫本体１２の内気は、循環用ファン３４の上流側に向かって流れて行く。循環用ファン３４の上流側に流れた内気は循環用ファン３４の下流側に向かって送風される。循環用ファン３４の下流側に送風された内気は、側壁２２とヒータパネル３６との間を通過して、貯蔵庫本体１２の底壁３８に当たり、庫内に拡散される。庫内に拡散された内気は、再度、循環用ファン３４の上流側に向かって流れて行き、内気が循環されるようになっている。
【００２７】
また、循環用ファン３４からの送風は、側壁２２とヒータパネル３６との隙間を通過するため、循環用ファン３４の上流側である第２の開口部２６の位置よりも、循環用ファン３４の下流側である第１の開口部２０の位置の方が、圧力が高くなる。これにより、第１の開口部２０内にも内気が流入する。第１の開口部２０に流入した内気は、第１の連通管６４、及び第４の連通管７０を介して、オゾン発生装置５４の取込口５６に流れる。
【００２８】
取込口５６に流れた内気は、オゾン発生部５８でオゾンを発生させるために利用される。オゾン発生部５８で発生されたオゾンは、排出口６０に流れ、第２の連通管６６を通過して、第２の開口部２６から、貯蔵庫本体１２の内部に排出される。このようにして、循環用ファン３４によって、オゾン発生装置５４へ内気が流れ、さらにオゾン発生装置５４から庫内にオゾンが排出されるようになっている。ここで、第１の連通管６４の端部６５の位置は、第２の連通管６６の第２の端部６７の位置よりも、距離Ｌだけ離れていることから、排出されたオゾンが、直ぐに循環用ファン３４によって、第１の開口部２０内に戻されることが防がれる。
【００２９】
切替え弁６２の位置が第２の切替え位置にある場合についての、循環用ファン３４の送風経路について説明する。循環用ファン３４からの送風は、側壁２２とヒータパネル３６との隙間を通過するため、循環用ファン３４の上流側である第２の開口部２６の位置よりも、循環用ファン３４の下流側である第３の開口部２８の位置の方が、圧力が高くなる。これにより、第３の開口部２８内にも内気が流入する。しかし、第３の開口部２８は、第１の開口部２０よりも、循環用ファン３４のさらに下流側にあることから、第１の開口部２０の位置の圧力よりも圧力が小さくなる。このため、第１の切替え位置における第１の開口部２０に流れる内気の流入量よりも、第３の開口部２８に流れる内気の流入量は少なくなる。
【００３０】
第３の開口部２８に流れた内気は、第３の連通管６８、及び第４の連通管７０を介して、オゾン発生装置５４の取込口５６に流れる。取込口５６に流れた内気は、オゾン発生部５８でオゾンを発生させるために利用される。オゾン発生部５８で発生されたオゾンは、排出口６０に流れ、第２の連通管６６を通過して、貯蔵庫本体１２の内部に排出される。第２の切替え位置におけるオゾンの排出量は、第１の切替え位置におけるオゾンの排出量よりも、内気の流入量が少ないため、少なくなる。このように、切替え弁６２を、第１の切替え位置、及び、第２の切替え位置のいずれか一方に切替えることで、オゾン発生装置５４に流入する内気の流入量を調整することができる。
【００３１】
本実施形態によれば、以下の作用、効果を奏する。
【００３２】
本実施形態の貯蔵庫１０は、箱状の貯蔵庫本体１２と、貯蔵庫本体１２内の内気を循環させる循環用ファン３４と、貯蔵庫本体１２に開口して設けられた第１の開口部２０と、貯蔵庫本体１２に開口して設けられた第２の開口部２６と、貯蔵庫本体１２の外部に設けられたオゾン発生装置５４と、を備え、オゾン発生装置５４は、第１の開口部２０と連通し、貯蔵庫本体１２から内気を取込む取込口５６と、取込口５６より取込まれた貯蔵庫本体１２の内気を利用してオゾンを発生させるオゾン発生部５８と、第２の開口部２６と連通し、オゾンを排出する排出口６０と、を有しており、第１の開口部２０は、循環用ファン３４の下流側に配されており、第２の開口部２６は、循環用ファン３４の上流側に配されている。
【００３３】
循環用ファン３４の上流側に設けられた第１の開口部２０と、オゾン発生装置５４の排出口６０とを連通させ、また、循環用ファン３４の下流側に設けられた第２の開口部２６と、オゾン発生装置５４の取込口５６とを連通させることで、循環用ファン３４の作動により、オゾン発生装置５４に貯蔵庫本体１２の内気が取込ませることができ、また、オゾン発生装置５４により発生されたオゾンを、貯蔵庫本体１２内へ排出させることができる。
【００３４】
また、貯蔵庫本体１２に開口して設けられ、取込口５６と連通する第３の開口部２８と、第１の開口部２０から取込口５６への貯蔵庫本体１２の内気の流入、又は、第３の開口部２８から取込口５６への貯蔵庫本体１２の内気の流入のいずれか一方に切替え可能な切替え弁６２と、を備え、第３の開口部２８は、第１の開口部２０よりも、循環用ファン３４の下流側に配されているものとしても良い。
【００３５】
切替え弁６２により、第１の開口部２０からの内気の取込み、又は、第１の開口部２０よりもさらに循環用ファン３４の下流側に配された第３の開口部２８からの内気の取込みのいずれか一方に切替えることにより、オゾン発生装置５４への内気の取込み量の調整が可能となる。
【００３６】
また、第１の開口部２０は、貯蔵庫本体１２の側壁２２に開口して設けられ、第１の開口部２０と取込口５６とは、第１の連通管６４を介して連通しており、第２の開口部２６は、貯蔵庫本体１２の天井壁１８に開口して設けられ、第２の開口部２６と排出口６０とは、第２の連通管６６を介して連通しており、貯蔵庫本体１２を平面視した場合において、第１の連通管６４の第１の開口部２０側の端部６５の平面視位置は、第２の連通管６６の第２の開口部２６側の端部６７の平面視位置から貯蔵庫本体１２の扉（前壁）３０側又は奥壁３２側にズレて配されているものとしても良い。
【００３７】
第１の連通管６４の第１の開口部２０側の端部６５の平面視位置は、第２の連通管６６の第２の開口部２６側の端部６７の平面視位置から扉（前壁）３０側又は奥壁３２側にズレて配されているため、第２の開口部２６から排出したオゾンが、すぐに第１の開口部２０に戻ることを防止できる。
【００３８】
＜他の実施形態＞
本発明は上記記述及び図面によって説明した実施形態に限定されるものではなく、例えば次のような実施形態も本発明の技術的範囲に含まれる。
（１）本実施形態では、第１の連通管６４の端部６５の位置は、平面視上、第２の連通管６６の端部６７の位置よりも、貯蔵庫本体１２の奥壁３２側にズレて配されている構成としたが、扉側にズレて配されている構成としても良い。
（２）本実施形態では、温蔵庫１６に対して、オゾン発生装置５４を接続する構成としたが、冷蔵庫に対して接続する構成としても良い。
（３）本実施形態の貯蔵庫１０は、温冷配膳車に搭載されるものとしたが、設置型の貯蔵庫としても良い。
【符号の説明】
【００３９】
１０…貯蔵庫
１２…貯蔵庫本体
１８…天井壁
２０…第１の開口部
２２…側壁
２６…第２の開口部
２８…第３の開口部
３０…扉（前壁）
３２…奥壁
３４…循環用ファン
５４…オゾン発生装置
５６…取込口
５８…オゾン発生部
６０…排出口
６２…切替え弁
６４…第１の連通管
６５…端部
６６…第２の連通管
６７…端部
【図１】
2019095080.tif 000003
【図２】
2019095080.tif 000004
【図３】
2019095080.tif 000005
【図４】
2019095080.tif 000006